(57)【特許請求の範囲】
【請求項１】
ディスクドライブヘッドと、電源及びディスクドライブモーター間に接続された１個のＣＭＯＳ集積回路チップによる制御回路と、を有するディスクドライブ装置であって、
前記ＣＭＯＳ集積回路チップは、
前記電源が前記モーターから除去されたときに前記モーターが発生する逆起電力電圧値が予め設定された電圧値を超えないようにするために、前記予め設定された値を超えた逆起電力を短絡する調整器回路と、
前記モーターと前記調整器回路に接続され、前記逆起電力を使用して、前記ディスクドライブヘッドを後退及び駐留させるディスクドライブヘッド駐留回路と、
を内蔵することを特徴とするディスクドライブ装置。
【請求項２】
前記ＣＭＯＳ集積回路チップは、さらに、前記ディスクドライブモーターと前記電源間に接続され、前記電源が前記モーターから除去されたときに前記該モーターが発生する逆起電力の電源側への散逸を防止するダイオードを、含む請求項１に記載のディスクドライブ装置。
【請求項３】
前記調整器回路は、
前記逆起電力電圧値と前記予め設定された電圧値を比較する比較回路と、
前記比較回路に接続され、前記逆起電力電圧値が前記予め設定された電圧値を超えたときに前記逆起電力を短絡するトランジスタと、
を有する請求項１に記載のディスクドライブ装置。
【請求項４】
前記トランジスタは、電界効果トランジスタである請求項３に記載のディスクドライブ装置。
【請求項５】
前記調整器回路は、前記モーターの両端子間に直列接続された第１の抵抗と第２の抵抗を有し、
前記比較回路は、前記逆起電力電圧を前記第１の抵抗と第２の抵抗間の接続点における電圧と比較する請求項３に記載のディスクドライブ装置。
【請求項６】
ディスクドライブヘッドと、電源及びディスクドライブモーター間に接続された１個のＣＭＯＳ集積回路チップによる制御回路と、を有するディスクドライブ装置であって、
前記ＣＭＯＳ集積回路チップは、
前記ディスクドライブモーターと前記電源間に接続され、前記電源が前記モーターから除去されたときに前記該モーターが発生する逆起電力の電源側への散逸を防止するダイオードと、
前記逆起電力を使用して、前記ディスクドライブヘッドを後退及び駐留させるディスクドライブヘッド駐留回路と、
前記電源が前記モーターから除去されたときに前記モーターが発生する逆起電力電圧値が予め設定された電圧値を超調整器回路と、
を内蔵し、
前記調整器回路は、
前記モーターの両端子間に直列接続された第１の抵抗と第２の抵抗と、
前記第１の抵抗と第２の抵抗間の接続点と前記逆起電力電圧を入力することにより前記逆起電力電圧値と前記予め設定された電圧値を比較する比較回路と、
前記比較回路に接続され、前記逆起電力電圧値が前記予め設定された電圧値を超えたときに前記逆起電力を短絡することにより前記駐留するディスクドライブヘッドに印加される電圧が安全動作範囲を超えないようにするトランジスタと、
を有することを特徴とするディスクドライブ装置。
【発明の詳細な説明】
【０００１】
【産業上の利用分野】
本発明はディスクドライブ制御器回路に関し、特に逆起電力調整器回路を有するＣＭＯＳディスクドライブ制御回路に関する。
【０００２】
【従来の技術】
ディスクドライブの電力停止オペレーションの期間中、ヘッドおよび媒体への損傷を最小限に留めるため、また電力がディスクドライブに再度印加されるときにヘッドと媒体間の摩擦を最小限に留めるため、記録ヘッドもしくはピックアップヘッドを格納媒体から離すように移動させることが望ましい。
【０００３】
主電源から電力を入手できないので、ヘッドを交代させるためには代わりの電源が利用できるようにしなければならない。代わりとして使われる電力源の代表例はスピンドルモーターの逆起電力である。通常、スピンドルモーターから得られる電力が主電源回路で散逸されることを阻止ダイオードが防止する。さらに、この起電力が、この逆起電力で電力供給されるすべての集積回路（ＩＣ）の安全動作範囲を超えないことを確実化する調整器回路を設けることが望ましいことがわかっている。残念ながら、これらの調整器は離散的ツェナーダイオードまたはバイポーラデバイスであるので、ディスクドライブの設計寸法が小さくなる場合は、ディスクドライブ制御回路内で使用するにはあまり魅力的でない。
【０００４】
それゆえ、調整器回路を標準のＣＭＯＳ集積回路チップ上の他のディスクドライブ制御回路と組み合わせることが望ましい。
【０００５】
【発明が解決しようとする課題】
したがって本発明の課題は、逆起電力調整器回路網を有するＣＭＯＳディスクドライブ制御回路を与えることである。
【０００６】
本発明の別の課題は、逆起電力調整器回路を有するＣＭＯＳディスクドライブ制御回路であって、その逆起電力調整器回路網が、逆起電力阻止回路網を含んだ標準ＣＭＯＳ集積回路上の他のディスクドライブモーター制御回路素子と組み合わせて製造することができる、ＣＭＯＳディスクドライブ制御回路を与えることである。
【０００８】
【課題を解決するための手段】
本発明は、前記課題を解決するために、ディスクドライブヘッドと、電源及びディスクドライブモーター間に接続された１個のＣＭＯＳ集積回路チップによる制御回路とを有するディスクドライブ装置であって、前記ＣＭＯＳ集積回路チップは、前記電源が前記モーターから除去されたときに前記モーターが発生する逆起電力電圧値が予め設定された電圧値を超えないようにするために、前記予め設定された値を超えた逆起電力を短絡する調整器回路と、前記モーターと前記調整器回路に接続され、前記逆起電力を使用して、前記ディスクドライブヘッドを後退及び駐留させるディスクドライブヘッド駐留回路とを内蔵することを特徴とするディスクドライブ装置を提供するものである。
【０００９】
本発明のさらなる利益および長所は、上記特許請求の範囲、以下の実施例の説明、および添付の図面から、当業者に明らかとなろう。
【００１０】
【実施例】
図１にはモーター１２、電源１４、阻止回路網１６、調整器回路網１７、およびヘッド駐留回路網１８を含むＣＭＯＳモーター制御回路１０が示されている。モーター１２は格納媒体を回転させるためのディスクドライブ、好ましくはハードウェアディスクドライブ、の一部である。電源１４はモーター１２に電力を与えるのみならず、他の制御回路コンポーネントにも電力を与える。モーター１２は作動停止されたとき、逆起電力を与える。阻止回路網１６は逆起電力が電源１４および制御回路１０の他のコンポーネント内で散逸されることを防止する。これは、格納媒体からディスクドライブの読み取り／書き込みヘッドを後退させるための代わりの電源として逆起電力がヘッド駐留回路網１８で利用できるようにするためである。調整器回路網１７は、逆起電力がヘッド駐留回路網１８および制御回路１０の他のコンポーネントの安全動作範囲を超えることを防止する。
【００１１】
図２には回路１０がさらに詳細に示されている。電源１４から与えられるシステム電力は、電力バス２０および接地バス２２を介して与えられる。システム電力は阻止回路網１６を介して調整器回路網１７、ヘッド駐留回路網１８、およびモーター１２に印加される。
【００１２】
阻止回路網１６は寄生阻止ダイオード（ｐａｒａｓｉｔｉｃ  ｂｌｏｃｋｉｎｇ  ｄｉｏｄｅ）２６を含む。
【００１３】
調整器回路網１７はトランジスタ２８を含む。電力が除去されるとき、増幅器２７が抵抗器３２、３４の接合点３０における電圧を監視する。この電圧はバス２０および２２間の電圧に比例する。増幅器２７はこの電圧を予定しきい値電圧と比較する。トランジスタ２８はＦＥＴトランジスタであることが望ましい。増幅器２７およびトランジスタ２８は一体となって標準的な分流調整器回路（ｓｈｕｎｔ  ｒｅｇｕｌａｔｏｒ  ｃｉｕｃｕｉｔ）を形成する。
【００１４】
システム電力がオフ状態になるときは、調整器回路網１７は負帰還（接合点３０における電圧）が増大することを感知する。増幅器２７はゲート４０を「高」に駆動し、これによってトランジスタ２８を「オン」状態に変える。トランジスタ２８により分流された電流は起電力発生源（モーター１２）の低インピーダンスを介して引き込まれ、これがレール４２における電圧を降下させる。レール４２上のこの電圧降下がトランジスタ２８を「オフ」状態に戻す。
【００１５】
寄生阻止ダイオード２６は逆起電力および回路１０内の寄生電圧から電源１４へ電流が流れるのを阻止する
このようにして、モーター１２から発生する逆起電力が保存されると共に、格納媒体からヘッドを後退させるためにヘッド駐留回路網１８が利用しうるような安全なレベルに逆起電力が維持される。
【００１６】
有利なことに、回路１０のコンポーネントはモーター１２および電源１４を除き、すべて単一のＣＭＯＳ集積回路（ＩＣ）チップ５０の一部として製造できる。
【００１７】
【発明の効果】
上記のように本発明のＣＭＯＳディスクドライブ制御回路は、ディスクドライブ電力停止の際に生ずる逆起電力を利用しながら、逆起電力が予定のレベルを超えることを防止しうる逆起電力調整器回路網を有する。その場合、逆起電力調整器回路網は、逆起電力阻止回路網と共に標準ＣＭＯＳ集積回路上の他のディスクドライブモーター制御回路素子と組み合わせて製造することができ、さらには他の制御回路素子と同一基板上に組み合わせて製造し、全体として単一ＩＣチップとして提供することができる。
【図面の簡単な説明】
【図１】ＣＭＯＳモーター制御回路のブロック線図である。
【図２】本発明のＣＭＯＳ調整回路網を採用した図１のＣＭＯＳモーター制御回路実施例の略線図である。
【符号の説明】
１０  ＣＭＯＳモーター制御回路
１２  モーター
１４  電源
１６  逆起電力阻止回路網
１７  調整器回路網
１８  ヘッド駐留回路網
２７  増幅器
【図１】
0003554039.tif 000002
【図２】
0003554039.tif 000003